(57)【要約】【課題】二層目以降のロープが捨て巻き部に重ねて巻き付けられることを防止し得、ロープの寿命延長を図り得ると共に、ドラム本体のドラム胴に対するロープ巻き付け開始時の張力付与作業を不要とし得、ロープの新規取付及び交換作業の容易化並びに時間短縮を図り得るウインチ装置のアタッチメント及びウインチ装置を提供する。【解決手段】捨て巻き部の外周を覆って二層目以降のロープ３が該捨て巻き部に重ねて巻き付けられることを防ぐようドラム本体のドラム胴１に着脱自在に取り付けられる環状フレーム１１を備える。【選択図】図１
2014091603.tif 000002
【特許請求の範囲】
【請求項１】
一端をドラム本体に止め具で固定したロープが該ドラム本体のドラム胴外周に複数層重ねて巻き付けられ、且つ前記止め具に許容値以上の負荷が作用しないよう、前記ロープの一端部がドラム胴に対し一層目の複数周に亘って巻き始められる捨て巻き部を有するウインチ装置のアタッチメントであって、
前記捨て巻き部の外周を覆って二層目以降のロープが該捨て巻き部に重ねて巻き付けられることを防ぐよう前記ドラム本体のドラム胴に着脱自在に取り付けられる環状フレームを備えたことを特徴とするウインチ装置のアタッチメント。
【請求項２】
前記環状フレームを周方向へ複数分割したブロック片によって構成した請求項１記載のウインチ装置のアタッチメント。
【請求項３】
前記ブロック片は、
前記ドラム本体のフランジ部に固定される接合フランジ分割部材と、
該接合フランジ分割部材と同形で且つ前記ドラム本体の軸線方向へ間隔をあけて配設される遮断フランジ分割部材と、
該遮断フランジ分割部材と前記接合フランジ分割部材とをつなぎ且つ前記捨て巻き部の外周を覆うように配設される環帯分割部材と
を有している請求項２記載のウインチ装置のアタッチメント。
【請求項４】
請求項１〜３のいずれか一つに記載のアタッチメントを前記ドラム本体のドラム胴に着脱自在に取り付けるよう構成したことを特徴とするウインチ装置。 
【発明の詳細な説明】
【技術分野】
【０００１】
本発明は、ウインチ装置のアタッチメント及びウインチ装置に関するものである。
【背景技術】
【０００２】
一般に、ジブクレーン等の各種クレーンには、ドラム本体のドラム胴外周にロープが複数層重ねて巻き付けられる、いわゆる多層巻きと称されるウインチ装置が搭載されている。
【０００３】
図３及び図４は従来のウインチ装置におけるドラム本体の一例を示す図であって、該ウインチ装置におけるドラム本体は、円筒状で外周面にロープ溝１ａが凹設されたドラム胴１の軸線方向両端に、外周へ張り出すフランジ部２を形成してなる構成を有しており、図示していないモータ等の駆動装置によって前記ウインチ装置を回転させることにより、ロープ３の巻き取りと繰り出しが行われるようになっている。
【０００４】
前記クレーンに用いられるロープ３は、新規の取付作業時には、新しいロープ３の一端を、前記ドラム本体のドラム胴１の外周面側から、図４に示される如く、前記フランジ部２に穿設された孔４に通すように引き出して該フランジ部２の外面側に止め具５で固定する。尚、古いロープ３と新しいロープ３の交換時には、前記ドラム胴１から古いロープ３を取り外した後、新しいロープ３の一端を、前記ドラム胴１の外周面側から、図４に示される如く、前記フランジ部２に穿設された孔４に通すように引き出して該フランジ部２の外面側に止め具５で固定する。
【０００５】
続いて、前記ドラム胴１を巻取方向へ回転駆動してロープ３を巻き取っていくが、このとき、前記止め具５に許容値以上の負荷が作用しないよう、前記ドラム胴１に対し一層目の複数周（二周〜五周程度）繰り出されない部分を作る必要があり、この部分を一般に「捨て巻き部」と称している。但し、前記捨て巻き部には、多層巻きの場合、二層目のロープ３が巻かれるため、該捨て巻き部のロープ３を押し潰すような力が作用する。
【０００６】
このため、前記ドラム胴１に対してロープ３を巻き始める際には、該ロープ３に所定の張力を付与するための装置を用いてロープ３を巻くことになる。
【０００７】
前記ロープ３に所定の張力を付与するための装置の一例として、図５（ａ）及び図５（ｂ）に示すボイスブレーキ６がある。該ボイスブレーキ６は、Ｖ字状のロープ挟持溝７ａが凹設されたブレーキブロック７を、該ロープ挟持溝７ａで前記ロープ３を挟み込むように対向配置してボルト・ナット等の締結部材８により締め付けると共に、クレーンのＡフレーム（図示せず）の上部等に一端が固定された支持ロープ９の他端を前記各ブレーキブロック７のブラケット１０に接続して該ブレーキブロック７を吊り下げるようにしたものであり、前記ドラム胴１にロープ３を巻き取っていく際には、前記支持ロープ９の途中に設けたロードセル（図示せず）の検出値を確認し、該検出値が設定値となるよう前記締結部材８による締め付けトルクを調整することにより、該ロープ３に所定の張力を付与するようになっている。
【０００８】
因みに、前記捨て巻き部以降のドラム胴１に巻き取られる部分のロープ３は、実際のクレーン作業時に負荷が作用した状態で繰り出されたり巻き取られたりすることにより、充分な張力を作用させることが可能となっているが、前記捨て巻き部は、前記ドラム胴１外周面に対するロープ３の摩擦抵抗によって、前記止め具５に許容値以上の負荷を作用させずに、該ロープ３の抜けを防止している部分であり、実際のクレーン作業時にもロープ３が繰り出されない部分となるため、充分な張力を作用させることは困難となっている。
【０００９】
尚、前記ドラム胴１に対しロープ３を、該ロープ３に張力を付与しつつ巻き取る装置と関連する一般的技術水準を示すものとしては、例えば、特許文献１がある。
【先行技術文献】
【特許文献】
【００１０】
【特許文献１】特開平２−４８３９４号公報
【発明の概要】
【発明が解決しようとする課題】
【００１１】
しかしながら、前述の如くドラム本体のドラム胴１外周にロープ３が複数層重ねて巻き付けられるウインチ装置において、前記捨て巻き部の外周を覆って二層目以降のロープ３が該捨て巻き部に重ねて巻き付けられると、該捨て巻き部のロープ３は、それ以降に巻き取られるロープ３より緩い張力でドラム胴１に巻き取られていることから、ロープ３を構成する素線の締りが不充分な状態となっており、前記二層目以降のロープ３によって押し潰される形となるため、前記捨て巻き部のロープ３を構成する素線が切れやすくなり、該ロープ３の寿命が短くなる虞があった。
【００１２】
又、前記ドラム胴１に対してロープ３を巻き始める際に、前記ボイスブレーキ６をセットしてロープ３に張力を付与するのでは、作業に手間と時間がかかり、改善が望まれていた。
【００１３】
本発明は、上記従来の問題点に鑑みてなしたもので、二層目以降のロープが捨て巻き部に重ねて巻き付けられることを防止し得、ロープの寿命延長を図り得ると共に、ドラム本体のドラム胴に対するロープ巻き付け開始時の張力付与作業を不要とし得、ロープの新規取付及び交換作業の容易化並びに時間短縮を図り得るウインチ装置のアタッチメント及びウインチ装置を提供しようとするものである。
【課題を解決するための手段】
【００１４】
本発明は、一端をドラム本体に止め具で固定したロープが該ドラム本体のドラム胴外周に複数層重ねて巻き付けられ、且つ前記止め具に許容値以上の負荷が作用しないよう、前記ロープの一端部がドラム胴に対し一層目の複数周に亘って巻き始められる捨て巻き部を有するウインチ装置のアタッチメントであって、
前記捨て巻き部の外周を覆って二層目以降のロープが該捨て巻き部に重ねて巻き付けられることを防ぐよう前記ドラム本体のドラム胴に着脱自在に取り付けられる環状フレームを備えたことを特徴とするウインチ装置のアタッチメントにかかるものである。
【００１５】
前記ウインチ装置のアタッチメントにおいては、前記環状フレームを周方向へ複数分割したブロック片によって構成することができる。
【００１６】
又、前記ウインチ装置のアタッチメントにおいて、前記ブロック片は、
前記ドラム本体のフランジ部に固定される接合フランジ分割部材と、
該接合フランジ分割部材と同形で且つ前記ドラム本体の軸線方向へ間隔をあけて配設される遮断フランジ分割部材と、
該遮断フランジ分割部材と前記接合フランジ分割部材とをつなぎ且つ前記捨て巻き部の外周を覆うように配設される環帯分割部材と
を有しているようにすることができる。
【００１７】
一方、本発明は、前記アタッチメントを前記ドラム本体のドラム胴に着脱自在に取り付けるよう構成したことを特徴とするウインチ装置にかかるものである。
【発明の効果】
【００１８】
本発明のウインチ装置のアタッチメント及びウインチ装置によれば、二層目以降のロープが捨て巻き部に重ねて巻き付けられることを防止し得、ロープの寿命延長を図り得ると共に、ドラム本体のドラム胴に対するロープ巻き付け開始時の張力付与作業を不要とし得、ロープの新規取付及び交換作業の容易化並びに時間短縮を図り得るという優れた効果を奏し得る。
【図面の簡単な説明】
【００１９】
【図１】本発明のウインチ装置のアタッチメントの実施例を示す断面図である。
【図２】本発明のウインチ装置のアタッチメントの実施例を示す斜視図である。
【図３】従来のウインチ装置におけるドラム本体の一例を示す断面図である。
【図４】従来のウインチ装置におけるドラム本体の一例のフランジ部に対するロープの止め具を示す概略図である。
【図５】ウインチ装置におけるドラム本体のドラム胴に対するロープの巻き始めに使用されるボイスブレーキを示す概略図であって、（ａ）は側断面図、（ｂ）は（ａ）のＶｂ−Ｖｂ矢視図である。
【発明を実施するための形態】
【００２０】
以下、本発明の実施の形態を添付図面を参照して説明する。
【００２１】
図１及び図２は本発明のウインチ装置のアタッチメントの実施例であって、図中、図３〜図５と同一の符号を付した部分は同一物を表わしており、基本的な構成は図３〜図５に示す従来のものと同様であるが、本実施例の特徴とするところは、図１及び図２に示す如く、捨て巻き部の外周を覆って二層目以降のロープ３が該捨て巻き部に重ねて巻き付けられることを防ぐようドラム本体のドラム胴１に着脱自在に取り付けられる環状フレーム１１を備えた点にある。
【００２２】
本実施例の場合、前記環状フレーム１１は周方向へ複数分割（図２の例では四分割）したブロック片１２によって構成してある。
【００２３】
前記ブロック片１２は、図２に示す如く、前記ドラム本体のフランジ部２にボルト・ナット等の締結部材１３により固定される接合フランジ分割部材１２ａと、該接合フランジ分割部材１２ａと同形で且つ前記ドラム本体の軸線方向へ間隔をあけて配設される遮断フランジ分割部材１２ｂと、該遮断フランジ分割部材１２ｂと前記接合フランジ分割部材１２ａとをつなぎ且つ前記捨て巻き部の外周を覆うように配設される環帯分割部材１２ｃとを有している。
【００２４】
又、前記接合フランジ分割部材１２ａと遮断フランジ分割部材１２ｂと環帯分割部材１２ｃとの間には、矩形板状の補強リブ１２ｄを取り付けてある。
【００２５】
次に、上記実施例の作用を説明する。
【００２６】
前記ロープ３の新規取付及び交換時には、新しいロープ３の一端を、前記ドラム本体のドラム胴１の外周面側から、図４に示す如く、前記フランジ部２に穿設された孔４に通すように引き出して該フランジ部２の外面側に止め具５で固定した後、前記ドラム胴１を巻取方向へ回転駆動し、前記止め具５に許容値以上の負荷が作用しないよう、前記ロープ３の一端部をドラム胴１に対し一層目の複数周（二周〜五周程度）に亘って巻き始めることにより、捨て巻き部を形成する。
【００２７】
前記捨て巻き部を形成し終えたら、一旦、前記ドラム胴１の回転駆動を停止し、図２に示す如く四分割した環状フレーム１１のブロック片１２を、図１に示す如く、締結部材１３により前記ドラム本体のフランジ部２に接合フランジ分割部材１２ａが固定されるよう、取り付ける。
【００２８】
前記ドラム本体のドラム胴１に対する環状フレーム１１の取り付けが完了したら、前記ドラム胴１の回転駆動を再開し、該ドラム胴１にロープ３を巻き取っていくと、前記捨て巻き部以降のドラム胴１に巻き取られた部分のロープ３の上にのみ、ロープ３が重ねて巻き付けられるようになる。
【００２９】
この結果、前記ドラム本体のドラム胴１外周にロープ３が複数層重ねて巻き付けられるウインチ装置において、前記捨て巻き部の外周を覆って二層目以降のロープ３が該捨て巻き部に重ねて巻き付けられることが前記環状フレーム１１によって確実に防止されるため、該捨て巻き部のロープ３が、それ以降に巻き取られるロープ３より緩い張力でドラム胴１に巻き取られてロープ３を構成する素線の締りが不充分な状態となっていても、前記二層目以降のロープ３によって捨て巻き部のロープ３が押し潰されるようなことが避けられ、該捨て巻き部のロープ３を構成する素線が切れにくくなり、該ロープ３の寿命が長くなる。
【００３０】
又、前記ドラム胴１に対してロープ３を巻き始める際に、図５に示されるようなボイスブレーキ６をセットしてロープ３に張力を付与しなくて済むため、作業に手間と時間がかからなくなる。
【００３１】
尚、前記環状フレーム１１を分割する個数については、四分割に限らず、ドラム胴１の大きさに応じて二分割や三分割或いは四分割以上としても良い。
【００３２】
又、分割された前記ブロック片１２をヒンジにより開閉自在に連結しても良く、このようにヒンジによりブロック片１２を開閉自在に連結すれば、ドラム本体のドラム胴１に対する着脱をより行いやすくすることが可能となる。
【００３３】
こうして、二層目以降のロープ３が捨て巻き部に重ねて巻き付けられることを防止し得、ロープ３の寿命延長を図り得ると共に、ドラム本体のドラム胴１に対するロープ３の巻き付け開始時の張力付与作業を不要とし得、ロープ３の新規取付及び交換作業の容易化並びに時間短縮を図り得る。
【００３４】
尚、本発明のウインチ装置のアタッチメント及びウインチ装置は、上述の実施例にのみ限定されるものではなく、本発明の要旨を逸脱しない範囲内において種々変更を加え得ることは勿論である。
【符号の説明】
【００３５】
１    ドラム胴
２    フランジ部
３    ロープ
４    孔
５    止め具
１１    環状フレーム
１２    ブロック片
１２ａ  接合フランジ分割部材
１２ｂ  遮断フランジ分割部材
１２ｃ  環帯分割部材 
【図１】
2014091603.tif 000003
【図２】
2014091603.tif 000004
【図３】
2014091603.tif 000005
【図４】
2014091603.tif 000006
【図５】
2014091603.tif 000007